(57)【要約】【課題】  電源がＯＮ状態の時に不用意にバッテリードアが開いて電源が落ちることを防げ、モードダイヤルと連動するＴ字形部材を使用するだけで大幅なコストアップをしない。【解決手段】  Ｔ字形部材５がフロントカバー１に保持され、Ｔ字形部材は、上端がモードダイヤル３の裏側に設けられたダイヤル保持部材７におけるモードダイヤルのＯＦＦの位置に形成された窪み部分７ａに入り込む方向に付勢され、Ｔ字形部材の下端は、バッテリードア４のリブ８に係止可能な位置に配置され、Ｔ字形部材の上端と下端との間に水平向きに設けられた腕部５ａは端部がフロントカバーの保持部に保持され、モードダイヤルがＯＮの位置では、Ｔ字形部材の腕部が撓んでＴ字形部材の上端がダイヤル保持部材の平坦部分７ｂに移動され、Ｔ字形部材が下向きに移動されて下端がバッテリードアのリブに係止されてバッテリードアがスライドすることを阻止されてロックされる。【選択図】  図３
2008309892.tif 000002
【特許請求の範囲】
【請求項１】
携帯機器の機器本体に対してスライドしてから開かれるバッテリードアを電源がＯＮしているときに開かないようにロックするようにした携帯機器におけるバッテリードアのロック構造であって、弾性を有するＴ字形部材がフロントカバーに保持されており、このＴ字形部材は、その上端がモードダイヤルの裏側に設けられたダイヤル保持部材における前記モードダイヤルのＯＦＦの位置に形成された窪み部分に入り込む方向に付勢されていて、前記Ｔ字形部材の下端は、前記バッテリードアに設けられたリブに係止可能な位置に配置され、前記Ｔ字形部材の上端と下端との間に水平向きに設けられた腕部はその端部が前記フロントカバーの保持部に保持されており、前記モードダイヤルがＯＦＦの位置では前記Ｔ字形部材の上端が前記ダイヤル保持部材の窪み部分に入り込んで下端は前記バッテリードアのリブに係止されずに前記バッテリードアがスライド可能で開閉可能な状態にされ、前記モードダイヤルがＯＮの位置では、前記Ｔ字形部材の前記腕部が撓むことにより前記Ｔ字形部材の上端が前記ダイヤル保持部材の窪み部分から平坦部分に移動されて前記Ｔ字形部材が前記フロントカバーに対して下向きに移動されてその下端が前記バッテリードアのリブに係止されることにより、前記バッテリードアがスライドすることを阻止されて開かないようにロックするように構成したことを特徴とする携帯機器におけるバッテリードアのロック構造。
【請求項２】
前記Ｔ字形部材は、前記フロントカバーの３方に設けられた保持部に移動可能に保持されていて、これらの保持部は前記Ｔ字形部材を挟むように両側に設けられたガイドリブで構成されている請求項１に記載の携帯機器におけるバッテリードアのロック構造。
【請求項３】
前記モードダイヤルがＯＮの位置のときに前記Ｔ字形部材の下端が係止される前記バッテリードアのリブは、前記Ｔ字形部材の両側に２箇所設けられている請求項１又は２に記載の携帯機器におけるバッテリードアのロック構造。
【請求項４】
前記ダイヤル保持部材に形成された窪み部分の両側は平坦部分に向けて傾斜する傾斜面に形成されている請求項１乃至３のいずれかに記載の携帯機器におけるバッテリードアのロック構造。
【発明の詳細な説明】
【技術分野】
【０００１】
本発明は、携帯機器の機器本体に対してスライドしてから開かれるバッテリードアを電源がＯＮしているときに開かないようにロックするようにした携帯機器におけるバッテリードアのロック構造に関するものである。
【背景技術】
【０００２】
従来の携帯機器におけるバッテリードアは、電源がＯＮされているときにロックされていなかったので、電源がＯＮされているときに、不用意にバッテリードアが開き、電源が落ちる虞があるという問題があった。
【０００３】
第１の従来技術を図６（ａ）（ｂ）に示す。この従来のデジタルカメラは、図６（ａ）に示すように、蓋体１１３によって被蓋されたカメラ本体１０１の電池収容部１１５には、２本の電池ＢＡ１０１、ＢＡ１０２が収容されており、これに対応する蓋体１１３の裏面には、蓋体１１３が閉じた状態のときに各電池ＢＡ１０１、ＢＡ１０２を電気的に直列接続させる電池接片１１３ｂが取り付けられている。また、同じく蓋体１１３によって被蓋されるカメラ本体１０１には、係合突起１１６が表面から出沒可能に設けられている。この係合突起１１６は、図６（ｂ）に示すように、カメラ本体１０１の上面にスライド可能に突設されている電源スイッチ１０３のカメラ本体１０１内に配置されるスライド部材１０３ａの一端に、接続部１１６ａを介して一体に設けられており、電源スイッチ１０３をＯＮ操作してスライド部材１０３ａを蓋体１１３側へスライドさせた時に、それに連動してカメラ本体１０１外部へ突出し、電源スイッチ１０３をＯＦＦ操作してスライド部材１０３ａを上記と反対方向にスライドさせた時にカメラ本体１０１表面と面一若しくはそれよりも引っ込むように構成されている。一方、蓋体１１３の裏面には、蓋体１１３を閉じた状態に上記係合突起１１６に対応する位置に、突出した係合突起１１６を受け入れるための凹部１１３ｃが形成されている。１１３ｄは係合爪１１４と係合する係合溝である。（例えば、特許文献１参照）。
ところが、これにおいては、スライド式の電源スイッチ１０３であり、電源スイッチ１０３の位置に対して蓋体１１３の位置が制約されていた。
【０００４】
【特許文献１】特開２００２−２９０７９７号公報
【発明の開示】
【発明が解決しようとする課題】
【０００５】
本発明は、上記従来の問題に鑑みてなされたものであって、モードダイヤルによる電源がＯＮ／ＯＦＦ機能を有する携帯機器における電源がＯＮ状態の時に不用意にバッテリードアが開いて電源が落ちることを防ぐことができ、モードダイヤルと連動するＴ字形部材を使用するだけでよくて、大幅なコストアップをすることがない携帯機器におけるバッテリードアのロック機構を提供することを目的としている。
【課題を解決するための手段】
【０００６】
本発明は、上記課題を解決するために提案されたものであって、請求項１に記載の発明は、携帯機器の機器本体に対してスライドしてから開かれるバッテリードアを電源がＯＮしているときに開かないようにロックするようにした携帯機器におけるバッテリードアのロック構造であって、弾性を有するＴ字形部材がフロントカバーに保持されており、このＴ字形部材は、その上端がモードダイヤルの裏側に設けられたダイヤル保持部材における前記モードダイヤルのＯＦＦの位置に形成された窪み部分に入り込む方向に付勢されていて、前記Ｔ字形部材の下端は、前記バッテリードアに設けられたリブに係止可能な位置に配置され、前記Ｔ字形部材の上端と下端との間に水平向きに設けられた腕部はその端部が前記フロントカバーの保持部に保持されており、前記モードダイヤルがＯＦＦの位置では前記Ｔ字形部材の上端が前記ダイヤル保持部材の窪み部分に入り込んで下端は前記バッテリードアのリブに係止されずに前記バッテリードアがスライド可能で開閉可能な状態にされ、前記モードダイヤルがＯＮの位置では、前記Ｔ字形部材の前記腕部が撓むことにより前記Ｔ字形部材の上端が前記ダイヤル保持部材の窪み部分から平坦部分に移動されて前記Ｔ字形部材が前記フロントカバーに対して下向きに移動されてその下端が前記バッテリードアのリブに係止されることにより、前記バッテリードアがスライドすることを阻止されて開かないようにロックするように構成したことを特徴としている。
【０００７】
請求項２に記載の発明は、請求項１に記載の発明において、前記Ｔ字形部材は、前記フロントカバーの３方に設けられた保持部に移動可能に保持されていて、これらの保持部は前記Ｔ字形部材を挟むように両側に設けられたガイドリブで構成されている。
【０００８】
請求項３に記載の発明は、請求項１又は２に記載の発明において、前記モードダイヤルがＯＮの位置のときに前記Ｔ字形部材の下端が係止される前記フロントカバーのリブは、前記Ｔ字形部材の両側に２箇所設けられている。
【０００９】
請求項４に記載の発明は、請求項１乃至３のいずれかに記載の発明において、前記ダイヤル保持部材に形成された窪み部分の両側は平坦部分に向けて傾斜する傾斜面に形成されている。
【発明の効果】
【００１０】
請求項１に記載の発明によれば、フロントカバーに保持されたＴ字形部材の上端が、モードダイヤルの裏側のダイヤル保持部材の窪み部分に入り込んだＯＦＦの状態では、このＴ字形部材の下端がバッテリードアのリブに係止されずにバッテリードアはスライド可能で開閉可能な状態であり、Ｔ字形部材の上端がダイヤル保持部材の窪み部分から平坦部分に移動されて腕部が撓んだＯＮの状態では、このＴ字形部材の下端がバッテリードアのリブに係止されてバッテリードアがスライドすることを阻止されて開かないようにロックされるから、電源がＯＮ状態の時に不用意にバッテリードアが開いて電源が落ちることを防ぐことができる。また、モードダイヤルと連動するＴ字形部材を使用するだけでよくて、大幅なコストアップをすることがない利点がある。
【００１１】
請求項２に記載の発明によれば、Ｔ字形部材の３方を保持するために、フロントカバーの３方に設けられた保持部がＴ字形部材を挟むように両側に設けられたガイドリブで構成されているから、構造が簡単であり、Ｔ字形部材をこの両側のガイドリブで外れることなく保持することができる。
【００１２】
請求項３に記載の発明によれば、モードダイヤルがＯＮの位置のときにＴ字形部材の下端が係止するバッテリードアのリブが、Ｔ字形部材の両側に２箇所設けられているから、Ｔ字形部材の下端の正確な位置決めができる利点がある。
【００１３】
請求項４に記載の発明によれば、ダイヤル保持部材の窪み部分の両側が平坦部分に向けて傾斜する傾斜面に形成されているから、モードダイヤルがＯＦＦの位置からＯＮの位置に回転された際に、モードダイヤルと一体に回転するダイヤル保持部材の窪み部分から平坦部分に向けてＴ字形部材の上端がスムーズに移動することができる利点がある。
【発明を実施するための最良の形態】
【００１４】
以下、本発明に係る携帯機器におけるバッテリードアのロック構造の実施の形態について、図を参照しつつ説明する。尚、この実施形態では、携帯機器として小型テレビについて図示して説明するが、携帯機器としてはこれに限らず、例えば小型ラジオなどの他の携帯機器についても適用できるものである。
図１は本実施形態の携帯機器としての小型テレビを示す斜視図、図２はバッテリードアのロック構造におけるバッテリードアがロックされていない状態を示し、（ａ）はその内部構造を示す下側から見た部分斜視図、（ｂ）は（ａ）の状態における上側から見た部分斜視図、図３はバッテリードアのロック構造におけるバッテリードアがロックされている状態を示し、（ａ）はその内部構造を示す下側から見た部分斜視図、（ｂ）は（ａ）の状態における上側から見た部分斜視図、図４（ａ）はバッテリードアのロック構造におけるバッテリードアがロックされていない状態の要部の下側から見た拡大斜視図、（ｂ）はバッテリードアがロックされている状態の要部の下側から見た拡大斜視図である。
【００１５】
本実施形態の小型テレビは、図１に示すように、フロントカバー１に液晶画面２が設けられ、上側にモードダイヤル３が配置され、下側に電源（図示略）を出し入れするためのバッテリードア４が設けられている。このバッテリードア４はスライドしてから開かれるように構成されており、電源がＯＮしているときには、下述するように、開かないようにロックされるようになっている。図２（ａ）（ｂ）に示すように、フロントカバー１の内面には弾性を有するＴ字形部材５が保持されている。このＴ字形部材５を保持するためにフロントカバー１の内面に設けられた３方の保持部は、Ｔ字形部材５を挟むように両側に設けられたガイドリブ６、６で構成されている。更に、モードダイヤル３の裏側には、このモードダイヤル３と一体に回転するダイヤル保持部材７が設けられ、このダイヤル保持部材７にはモードダイヤル３のＯＦＦの位置に窪み部分７ａが形成されている。また、Ｔ字形部材５は上向きに付勢されており、図２（ａ）の状態では、ダイヤル保持部材７の窪み部分７ａにＴ字形部材５の上端が入り込んでおり、図２（ｂ）及び図４（ａ）に示すように、Ｔ字形部材５の下端は、バッテリードア４に設けられたリブ８に係止されていない。この状態では、バッテリードア４はスライド可能で開閉可能な状態になっている。
【００１６】
次に、モードダイヤル３がＯＮ状態である場合には、図３（ａ）（ｂ）に示すように、Ｔ字形部材５の上端はダイヤル保持部材７の窪み部分７ａから平坦部分に移動して、腕部５ａが撓んで下端がバッテリードア４のリブ８に係止される。この状態では、図４（ｂ）にも示すように、バッテリードア４はスライドすることを阻止されて開かないようにロックされている。更に、ダイヤル保持部材７の窪み部分７ａの両側は、図４（ｂ）に示すように、平坦部分に向けて傾斜する傾斜面７ｂ、７ｂに形成されている。
【００１７】
従って、この実施形態によれば、フロントカバー１に保持されたＴ字形部材５の上端が、モードダイヤル３の裏側のダイヤル保持部材７の窪み部分７ａに入り込んだＯＦＦの状態では、このＴ字形部材５の下端がバッテリードア４のリブ８に係止されずにバッテリードア４はスライド可能で開閉可能な状態であり、Ｔ字形部材５の上端がダイヤル保持部材７の窪み部分７ａから平坦部分に移動されて腕部５ａが撓んだＯＮの状態では、このＴ字形部材５の下端がバッテリードア４のリブ８に係止されてバッテリードア４がスライドすることを阻止されて開かないようにロックされるから、電源がＯＮ状態の時に不用意にバッテリードア４が開いて電源が落ちることを防ぐことができる。また、モードダイヤル３と連動するＴ字形部材５を使用するだけでよくて、大幅なコストアップをすることがない利点がある。
【００１８】
また、Ｔ字形部材５の３方を保持するために、フロントカバー１の３方に設けられた保持部がＴ字形部材５を挟むように両側に設けられたガイドリブ６で構成されているから、構造が簡単であり、Ｔ字形部材５をこの両側のガイドリブ６で外れることなく保持することができる。ダイヤル保持部材７の窪み部分７ａの両側が平坦部分に向けて傾斜する傾斜面７ｂに形成されているから、モードダイヤル３がＯＦＦの位置からＯＮの位置に回転された際に、モードダイヤル３と一体に回転するダイヤル保持部材７の窪み部分７ａから平坦部分７ｂに向けてＴ字形部材５の上端がスムーズに移動することができる利点がある。
【００１９】
図５（ａ）は別例のバッテリードアのロック構造におけるバッテリードアがロックされていない状態の要部の下側から見た拡大斜視図、（ｂ）はバッテリードアがロックされている状態の要部の下側から見た拡大斜視図である。尚、上記した実施形態と同一部材、同一箇所には同一符号を付して、その説明を省略する。
この別例のバッテリードアのロック構造は、図５（ａ）（ｂ）に示すように、モードダイヤル３がＯＮの位置のときに、Ｔ字形部材５の下端が係止されるバッテリードア４のリブ８、８がＴ字形部材の両側に位置するように左右２箇所設けられている。従って、Ｔ字形部材５がバッテリードア４の左右のリブ８、８間に係入した際にＴ字形部材５の下端の正確な位置決めができる利点がある。
【図面の簡単な説明】
【００２０】
【図１】本実施形態の携帯機器としての小型テレビを示す斜視図である。
【図２】バッテリードアのロック構造におけるバッテリードアがロックされていない状態を示し、（ａ）はその内部構造を示す下側から見た部分斜視図、（ｂ）は（ａ）の状態における上側から見た部分斜視図である。
【図３】バッテリードアのロック構造におけるバッテリードアがロックされている状態を示し、（ａ）はその内部構造を示す下側から見た部分斜視図、（ｂ）は（ａ）の状態における上側から見た部分斜視図である。
【図４】（ａ）はバッテリードアのロック構造におけるバッテリードアがロックされていない状態の要部の下側から見た拡大斜視図、（ｂ）はバッテリードアがロックされている状態の要部の下側から見た拡大斜視図である。
【図５】（ａ）は別例のバッテリードアのロック構造におけるバッテリードアがロックされていない状態の要部の下側から見た拡大斜視図、（ｂ）はバッテリードアがロックされている状態の要部の下側から見た拡大斜視図である。
【図６】従来のデジタルカメラを示し、（ａ）はその背面を底面側から見た部分斜視図、（ｂ）は（ａ）のデジタルカメラの蓋体のロック構造を示す部分斜視図である。
【符号の説明】
【００２１】
１        フロントカバー
２        液晶画面
３        モードダイヤル
４        バッテリードア
５        Ｔ字形部材
５ａ      腕部
６        ガイドリブ
７        ダイヤル保持部材
７ａ      窪み部分
７ｂ      傾斜面
８        リブ
【図１】
2008309892.tif 000003
【図２】
2008309892.tif 000004
【図３】
2008309892.tif 000005
【図４】
2008309892.tif 000006
【図５】
2008309892.tif 000007
【図６】
2008309892.tif 000008